(57)【要約】  【課題】  開閉扉に外観上で目立つひけを生じさせずに、且つ突起部がディスクトレイの溝壁から脱落することのないディスク装置を提供することである。  【解決手段】  突起部１１は、ディスクトレイ１の幅方向に延びる横長部１１ａとディスクトレイ１の出退方向に延びる縦長部１１ｂとがＴ字形に連続する形に形成され、縦長部１１ｂに、突出方向に移動してきたディスクトレイ１の当り部１５を摺動させて開閉扉７を開動させながらガイド溝部５１の溝壁５３の頂面５３ａを横長部１１ａに乗り上がらせる傾斜ガイド面１２が備わり、横長部１１ａの肉厚ｔ１及び縦長部１１ｂの肉厚ｔ２をガイド溝部５１の溝幅Ｔ２よりも短い寸法に定めることによって、成形された開閉扉７の表面に外観上で目立つひけが発生することを抑制すると共に、横長部１１ａの長さが、ガイド溝部５１の溝幅Ｔ２よりも長い寸法に定められた構成とする。【選択図】      図１
0003109835.tif 000002
【実用新案登録請求の範囲】
【請求項１】
外郭ハウジングに内蔵されたディスク駆動機構が、当り部を備えた樹脂成形体からなる
ディスクトレイと、該ディスクトレイの幅方向端部に具備されたガイド溝部に嵌合して前
記ディスクトレイを出退方向に案内するガイド突起を備えた構体とを有し、前記外郭ハウ
ジングに開設されて前記ディスクトレイが出退される開口窓に、幅方向の一端部だけに配
設されたねじりばねによって閉方向に常時弾発付勢された樹脂成形体からなる開閉扉が取
り付けられ、該開閉扉の裏面に、突出方向に移動してきた前記ディスクトレイの前記当り
部を摺動させて前記開閉扉を開動させながら前記ガイド溝部の溝壁の頂面を摺動させて乗
り上がらせる突起部が備わっているディスク装置において、
前記突起部は、前記ディスクトレイの幅方向に延びる横長部と前記ディスクトレイの出
退方向に延びる縦長部とがＴ字形に連続する形に形成され、前記縦長部に、突出方向に移
動してきた前記ディスクトレイの前記当り部を摺動させて前記開閉扉を開動させながら前
記ガイド溝部の溝壁の頂面を前記横長部に乗り上がらせる傾斜ガイド面が備わり、前記横
長部の肉厚及び前記縦長部の肉厚を前記ガイド溝部の溝幅よりも短い寸法に定めることに
よって、成形された前記開閉扉の表面に外観上で目立つひけが発生することを抑制すると
共に、前記横長部の長さが、前記ガイド溝部の溝幅よりも長い寸法に定められており、
前記開閉扉の裏面の前記突起部の配置とは別の箇所に前記突起部と同一形状の補助突起
部を備え、前記突起部の横長部が前記ガイド溝部の溝壁の頂面を乗り上がらせたときに、
前記補助突起部が、前記ディスクトレイの幅方向他端部に具備された縦長の縁枠部の頂面
を乗り上がらせることを特徴とするディスク装置。
【請求項２】
外郭ハウジングに内蔵されたディスク駆動機構が、当り部を備えた樹脂成形体からなる
ディスクトレイと、該ディスクトレイの幅方向端部に具備されたガイド溝部に嵌合して前
記ディスクトレイを出退方向に案内するガイド突起を備えた構体とを有し、前記外郭ハウ
ジングに開設されて前記ディスクトレイが出退される開口窓に、閉方向に常時弾発付勢さ
れた樹脂成形体からなる開閉扉が取り付けられ、該開閉扉の裏面に、突出方向に移動して
きた前記ディスクトレイの前記当り部を摺動させて前記開閉扉を開動させながら前記ガイ
ド溝部の溝壁の頂面を摺動させて乗り上がらせる突起部が備わっているディスク装置にお
いて、
前記突起部は、前記ディスクトレイの幅方向に延びる横長部と前記ディスクトレイの出
退方向に延びる縦長部とがＴ字形に連続する形に形成され、前記縦長部に、突出方向に移
動してきた前記ディスクトレイの前記当り部を摺動させて前記開閉扉を開動させながら前
記ガイド溝部の溝壁の頂面を前記横長部に乗り上がらせる傾斜ガイド面が備わり、前記横
長部の肉厚及び前記縦長部の肉厚が、成形によって前記開閉扉の表面に外観上で目立つひ
けを発生させない寸法に定められていると共に、前記横長部の長さが、前記ガイド溝部の
溝幅よりも長い寸法に定められていることを特徴とするディスク装置。
【請求項３】
前記縦長部の肉厚が、前記ガイド溝部の溝幅よりも短い寸法に定められていることを特
徴とする請求項２記載のディスク装置。
【請求項４】
前記横長部の肉厚が、前記ガイド溝部の溝幅よりも短い寸法に定められていることを特
徴とする請求項２又は３記載のディスク装置。
【考案の詳細な説明】
【技術分野】
【０００１】
本考案は、ディスク装置、特に、ディスクの搬入出を行うためのディスクトレイを有す
るディスク駆動機構が外郭ハウジングに内蔵されていて、外郭ハウジングの開口窓に取り
付けられた開閉扉が、突出方向に移動してきたディスクトレイによって押し開かれるディ
スク装置に関するものである。
【背景技術】
【０００２】
図４は従来のディスク駆動機構の概略平面図、図５は図４のＶ−Ｖ線断面図である。こ
のディスク駆動機構は、樹脂成形体からなるディスクトレイ１や構体３を備えている。構
体３には、ディスクトレイ１によって搬入されてきたディスクをチャッキングして回転さ
せるためのターンテーブル（不図示）や回転中のディスクの記録面を走査する光ピックア
ップ（不図示）などの記録又は再生に必要な要素が組み付けられているほか、ディスクト
レイ１側のラック１２と共働してディスクトレイ１を出退させるためのローディングギヤ
３２が取り付けられている。
【０００３】
また、ディスクトレイ１の出退動作は、ディスクトレイ１と構体３との間の左右２箇所
に介在されているガイド機構５、６によって案内されるようになっている。
【０００４】
このガイド機構５は、ディスクトレイ１の幅方向一端部に具備された縦長のガイド溝部
５１と、構体３に設けられてガイド溝部５１に嵌合するガイド突起５２とによって構成さ
れている。ガイド溝部５１を形成している外側の溝壁５３は、ディスクトレイ１の幅方向
一端部の縁枠部としてディスクトレイ１を補強する機能を備えている。一方、ガイド機構
６は、ディスクトレイ１の幅方向他端部に具備された縦長の縁枠部１３の内側に位置する
凹所６１とその凹所６１に嵌合して縁枠部１３と摺動可能な補助ガイド突起６２とによっ
て構成されている。また、それぞれのガイド機構５、６には、構体３に設けられてディス
クトレイ１の浮き上がりを抑える押さえ片５５、６５が付設されている。
【０００５】
図６は、外郭ハウジングに開設された開口窓（不図示）に取り付けられる開閉扉７とデ
ィスクトレイ１との位置関係を示す説明図、図７（ａ）、（ｂ）は、ディスクトレイ１と
開閉扉７との連動状態を説明的に示した要部の断面図である。
【０００６】
開閉扉７は樹脂成形体からなる。図６又は図７に示すように、この開閉扉７は、左右両
端部に同心状に備わっている支軸部７１、７２が外郭ハウジングを構成しているフロント
パネル８に設けられた軸受孔部８１（左側の軸受孔部は図に現れない）に回転自在に支持
されると共に、支持部７１に保持されたねじりばね（不図示）によって閉方向（矢印Ｆ）
に常時弾発付勢される。また、図６に示すように、開閉扉７の裏面の左右に肉厚寸法Ｔ１
のまっすぐなリブによって形成された同一形状の突起部７３と補助突起部７６が形成され
ている。突起部７３及び補助突起部７６にはそれぞれ傾斜ガイド面７４、７７が備わって
いる。これに対し、ディスクトレイ１には、突起部７３と補助突起部７６に対応する箇所
に当り部１５（左側の突起部７６に対応する当り部は図に現れない）が備わっている。図
６、７では、当り部１５はディスクトレイ１の前面部によって形成されている。
【０００７】
ディスクトレイ１が図７（ａ）の矢印Ａ１の方向に突出してくると、当り部１５が、閉
状態の開閉扉７の突起部７３の傾斜ガイド面７４に当接した後、開閉扉７をねじりばねの
付勢に抗して矢印Ｃ１の方向に開動させながら傾斜ガイド面７４を摺動し、さらに図７（
ｂ）のように、ガイド溝部５１の溝壁５３の頂面（下面）５３ａが突起部７３に乗り上が
る。
【０００８】
以上説明した従来のディスク装置において、突起部７３の肉厚寸法Ｔ１はガイド溝部５
１の溝幅寸法Ｔ２よりもやや長い寸法に定められていた。その理由は次の通りである。
【０００９】
すなわち、ディスクトレイ１がディスク駆動機構側に組み付けられているのに対し、開
閉扉７はそのディスク駆動機構を内蔵している外郭ハウジングの開口窓に取り付けられて
いるため、外郭ハウジングに対するディスク駆動機構の取り付け位置の横方向のずれや、
外郭ハウジングの開口窓に対する開閉扉７の取り付け位置の横方向のずれなどが原因にな
って、ディスクトレイ１が出退するときに、ディスクトレイ１の溝壁５３が開閉扉７の突
起部７３に対して横方向に位置ずれすることがある。その場合に、仮に突起部７３の肉厚
寸法Ｔ１がガイド溝部５１の溝幅寸法Ｔ２よりも短いとすると、突起部７３がガイド溝部
５１に嵌まり込むおそれがある。このような事態が起こると、ディスクトレイ１の円滑な
出退動作が損なわれたり、開閉扉７の円滑な開閉動作が損なわれたりする。そこで、上記
のように、突起部７３の肉厚寸法Ｔ１をガイド溝部５１の溝幅寸法Ｔ２よりもやや長めの
寸法に定めておくことによって、突起部７３が開閉扉７側の溝壁５３に対して位置ずれし
ている場合でも、突起部７３がガイド溝部５１に嵌まり込んでしまうことを回避している
。
【００１０】
他の従来例として、特許文献１には、シャッタの開放時にガイド板の上部前縁との隙間
を塞ぐリブが設けられ、ガイド板の下部前縁には、シャッタの閉鎖時にリブが当接する突
出部が設けられたシャッタ開閉装置が開示されている。また、特許文献２には、ガイド突
片部の先端側に、ガイド突片部先端から所定の屈曲角度で下方に向かって延出する先端ガ
イド片部が形成されているディスク装置が開示されている。
【特許文献１】特開２００４−２２００２号公報
【特許文献２】特開２００４−２１３８２７号公報
【考案の開示】
【考案が解決しようとする課題】
【００１１】
しかしながら、図４〜図７のディスク装置にように、突起部７３の肉厚寸法Ｔ１がガイ
ド溝部５１の溝幅寸法Ｔ２よりもやや長い寸法に定められていると、樹脂成形体からなる
開閉扉７の表面にひけが発生し、そのひけが外観上で目立って開閉扉７が不良品と判定さ
れることがあった。そこで、外観上で目立つひけを発生させないようにするために突起部
７３の肉厚寸法Ｔ１を短くすると、肉厚寸法Ｔ１がガイド溝部５１の溝幅寸法Ｔ２よりも
短くなり、上記のように溝壁５３から脱落した突起部７３がガイド溝部５１に嵌まり込ん
でしまうおそれがある。これに対し、特許文献１や特許文献２には、そのようなひけの発
生に関する言及がなされていない。
【００１２】
本考案は、開閉扉に外観上で目立つひけを生じさせずに、且つ突起部がディスクトレイ
の溝壁から脱落することのないディスク装置を提供することを目的とする。
【課題を解決するための手段】
【００１３】
上記目的を達成するために本考案は、外郭ハウジングに内蔵されたディスク駆動機構が
、当り部を備えた樹脂成形体からなるディスクトレイと、該ディスクトレイの幅方向端部
に具備されたガイド溝部に嵌合して前記ディスクトレイを出退方向に案内するガイド突起
を備えた構体とを有し、前記外郭ハウジングに開設されて前記ディスクトレイが出退され
る開口窓に、閉方向に常時弾発付勢された樹脂成形体からなる開閉扉が取り付けられ、該
開閉扉の裏面に、突出方向に移動してきた前記ディスクトレイの前記当り部を摺動させて
前記開閉扉を開動させながら前記ガイド溝部の溝壁の頂面を摺動させて乗り上がらせる突
起部が備わっているディスク装置において、前記突起部は、前記ディスクトレイの幅方向
に延びる横長部と前記ディスクトレイの出退方向に延びる縦長部とがＴ字形に連続する形
に形成され、前記縦長部に、突出方向に移動してきた前記ディスクトレイの前記当り部を
摺動させて前記開閉扉を開動させながら前記ガイド溝部の溝壁の頂面を前記横長部に乗り
上がらせる傾斜ガイド面が備わり、前記横長部の肉厚及び前記縦長部の肉厚が、成形によ
って前記開閉扉の表面に外観上で目立つひけを発生させない寸法に定められていると共に
、前記横長部の長さが、前記ガイド溝部の溝幅よりも長い寸法に定められている。
【００１４】
この構成によれば、突起部の横長部の肉厚及び縦長部の肉厚が、成形によって開閉扉の
表面に外観上で目立つひけを発生させない寸法に定められていることにより、開閉扉の表
面に外観上で目立つひけが発生しなくなり、開閉扉がひけの存在を理由に不良品と判定さ
れることがなくなる。その上、突起部の横長部の長さがガイド溝部の溝幅よりも長い寸法
に定められていることにより、突起部がガイド溝部に嵌まり込む余地がなくなり、その結
果、突起部がディスクトレイの溝壁から脱落してガイド溝部に嵌まり込んでしまってディ
スクトレイや開閉扉の円滑な動作が損なわれることがなくなる。
【００１５】
また上記のディスク装置において、前記縦長部の肉厚が、前記ガイド溝部の溝幅よりも
短い寸法に定められていることが望ましい。さらに、前記横長部の肉厚も、前記ガイド溝
部の溝幅よりも短い寸法に定められていることが望ましい。
【００１６】
この構成によれば、突起部を形成するのに必要な樹脂量が従来よりも少なくなる。
【００１７】
また本考案は、外郭ハウジングに内蔵されたディスク駆動機構が、当り部を備えた樹脂
成形体からなるディスクトレイと、該ディスクトレイの幅方向端部に具備されたガイド溝
部に嵌合して前記ディスクトレイを出退方向に案内するガイド突起を備えた構体とを有し
、前記外郭ハウジングに開設されて前記ディスクトレイが出退される開口窓に、幅方向の
一端部だけに配設されたねじりばねによって閉方向に常時弾発付勢された樹脂成形体から
なる開閉扉が取り付けられ、該開閉扉の裏面に、突出方向に移動してきた前記ディスクト
レイの前記当り部を摺動させて前記開閉扉を開動させながら前記ガイド溝部の溝壁の頂面
を摺動させて乗り上がらせる突起部が備わっているディスク装置において、前記突起部は
、前記ディスクトレイの幅方向に延びる横長部と前記ディスクトレイの出退方向に延びる
縦長部とがＴ字形に連続する形に形成され、前記縦長部に、突出方向に移動してきた前記
ディスクトレイの前記当り部を摺動させて前記開閉扉を開動させながら前記ガイド溝部の
溝壁の頂面を前記横長部に乗り上がらせる傾斜ガイド面が備わり、前記横長部の肉厚及び
前記縦長部の肉厚を前記ガイド溝部の溝幅よりも短い寸法に定めることによって、成形さ
れた前記開閉扉の表面に外観上で目立つひけが発生することを抑制すると共に、前記横長
部の長さが、前記ガイド溝部の溝幅よりも長い寸法に定められており、前記開閉扉の裏面
の前記突起部の配置とは別の箇所に前記突起部と同一形状の補助突起部を備え、前記突起
部の横長部が前記ガイド溝部の溝壁の頂面を乗り上がらせたときに、前記補助突起部が、
前記ディスクトレイの幅方向他端部に具備された縦長の縁枠部の頂面を乗り上がらせると
いう構成を採用することによっていっそう具体化される。
【考案の効果】
【００１８】
本考案によると、突起部の肉厚寸法を短くすることによって開閉扉の表面に外観上で目
立つひけを生じさせないようにしても、突起部がディスクトレイの溝壁から脱落してガイ
ド溝部に嵌まり込んでしまうことがないので、開閉扉にひけのない良好な外観を付与する
ことができて不良品の発生を抑制することが可能になる。併せて、ディスクトレイや開閉
扉の円滑な動作が損なわれることのないディスク装置を提供することができる。
【００１９】
また本考案によると、従来のディスク装置の突起部の形状を変更する対策を講じるだけ
で、突起部がディスクトレイの溝壁から脱落してガイド溝部に嵌まり込んでしまうことを
回避できるので、ディスクトレイや開閉扉の円滑な動作が損なわれることのないディスク
装置を安価に提供することができる。さらに、薄肉の突起部をＴ字形に形成することによ
り、突起部を形成するのに必要な樹脂量が従来よりも少なくて済むという利点もある。
【考案を実施するための最良の形態】
【００２０】
図１は、本考案のディスク装置の開閉扉７とディスクトレイ１との位置関係を示す説明
図、図２は、外郭ハウジングのフロントパネル８の開口窓への開閉扉７の取り付け構造を
示す横断面図、図３（ａ）〜（ｅ）はディスクトレイ１と開閉扉７との連動状態を説明的
に示した要部の断面図である。
【００２１】
図１に示した開閉扉７は、突起部１１と補助突起部１６の形状が図６を参照して説明し
た従来の突起部７３と補助突起部７６の形状と異なっているだけであり、その他の構成は
図６の開閉扉７と同様である。すなわち、図１に示した突起部１１は、ディスクトレイ１
の幅方向に延びる横長部１１ａとディスクトレイ１の出退方向に延びる縦長部１１ｂとが
Ｔ字形に連続する形に形成され、縦長部１１ｂに傾斜ガイド面１２が備えられている。な
お、Ｔ字形とは、横長部１１ａや縦長部１１ｂが必ずしも直線状でなくてもよく、三角形
などの多角形状や曲線状のものも含むものとする。
【００２２】
そして、突起部１１の横長部１１ａの肉厚ｔ１及び縦長部１１ｂの肉厚ｔ２をディスク
トレイ１側のガイド溝部５１の溝幅寸法Ｔ２よりも短い寸法に定めてあると共に、それら
の箇所の肉厚ｔ１、ｔ２は、成形された開閉扉７の表面に外観上の目立つひけが発生しな
い寸法範囲内でできるだけ長く定めて突起部１１の強度を大きくする。さらに、横長部１
１ａの長さＬをガイド溝部５１の溝幅寸法Ｔ２よりも長い寸法に定める。
【００２３】
なお、横長部１１ａの長さＬを図６で説明した突起部７３の肉厚寸法Ｔ１と同一に定め
ると、突起部１１を形成するのに必要な樹脂量が従来よりも少なくて済むという利点があ
る。また、突起部１１の配設箇所とは別の箇所に形成されている補助突起１６は、突起部
１１と同一形状及び同一大きさに形成される。その他の構成は図６で参照したものと同様
であるので、同一又は相応する部分に同一符号を付して説明の重複を回避する。
【００２４】
図２では、外郭ハウジングを構成しているフロントパネル８の開口窓８５に取り付けら
れた樹脂成形体からなる開閉扉７を倒伏姿勢に開いた状態で示している。図２のように、
開閉扉７は、左右両端部に同心状に備えられた支軸部７１、７２がフロントパネル８の軸
受孔部８１、８２に回転自在に支持されると共に、一方側の支軸部７１に保持されたねじ
りばね８３によって閉方向に常時弾発付勢されている。
【００２５】
このディスク装置において、ディスクトレイ１が構体３（図４参照）の中に引き込まれ
ているときには、図３（ａ）のように、開閉扉７がねじりばね８３（図２参照）により付
勢されて閉じている。そして、ディスクトレイ１が図３（ｂ）、（ｃ）、（ｄ）の矢印Ａ
１の方向に突出してくると、突起部１１とディスクトレイ１との関係では、ディスクトレ
イ１の当り部１５が、閉状態の開閉扉７の突起部１１の傾斜ガイド面１２に当接した後、
開閉扉７をねじりばね８３の付勢に抗して矢印Ｃ１の方向に開動させながら傾斜ガイド面
１２を摺動する。さらに、図３（ｅ）のように、ディスクトレイ１のガイド溝部５１の溝
壁５３の頂面（下面）５３ａが突起部１１に乗り上がる。
【００２６】
また、図示していないが、補助突起部１６とディスクトレイ１との関係では、ディスク
トレイ１が突出方向に移動してくると、ディスクトレイ１の当り部１５が、閉状態の開閉
扉７の補助突起部１６の傾斜ガイド面１７に当接した後、開閉扉７をねじりばね８３の付
勢に抗して開動させながら傾斜ガイド面１７を摺動し、さらにディスクトレイ１の縁枠部
１３の頂面（下面）１３ａが補助突起部１６に乗り上がる。
【００２７】
このようなディスク装置において、突起部１１には、ガイド溝５１の溝幅寸法よりも長
い長さＬの横長部１１ａが備わっているので、フロントパネル８に対するディスク駆動機
構の取り付け位置や、フロントパネル８の開口窓８５に対する開閉扉７の取り付け位置が
横方向にずれていたとしても、突起部１１がガイド溝部５１に嵌まり込むおそれはない。
従って、開閉扉７がその表面に外観上で目立つひけを持たず、しかも、ディスクトレイ１
の円滑な出退動作や開閉扉７の円滑な開閉動作が損なわれたりすることがない。なお、横
長部１１ａの長さＬを長くする程、横方向の取り付け位置が大きくずれても対応できる。
【００２８】
さらに、突起部１１をディスクトレイ１の溝壁５３に対応させることに加えて、補助突
起部１６をディスクトレイ１の縁枠部１３に対応させることにより、開閉扉７がその片側
の支軸部７１の取り付け箇所でのみねじりばね８３により付勢されて開閉扉７に偏荷重が
加わっているとしても、開閉扉７が傾いて開閉動することが回避される。
【図面の簡単な説明】
【００２９】
【図１】本考案のディスク装置の開閉扉とディスクトレイとの位置関係を示す説明図である。
【図２】本考案の開口窓への開閉扉の取り付け構造を示す横断面図である。
【図３】（ａ）〜（ｅ）は本考案のディスクトレイと開閉扉との連動状態を説明的に示した要部の断面図である。
【図４】従来のディスク駆動機構の概略平面図である。
【図５】図４のＶ−Ｖ線断面図である。
【図６】従来の外郭ハウジングに開設された開口窓に取り付けられる開閉扉とディスクトレイとの位置関係を示す説明図である。
【図７】（ａ）、（ｂ）は従来のディスクトレイと開閉扉との連動状態を説明的に示した要部の断面図である。
【符号の説明】
【００３０】
１    ディスクトレイ
３    構体
７    開閉扉
８    フロントパネル
１１    突起部
１１ａ    横長部
１１ｂ    縦長部
１２、１７    傾斜ガイド面
１３    縁枠部
１３ａ    縁枠部の頂面
１５    当り部
１６    補助突起部
５１    ガイド溝部
５２    ガイド突起
５３    溝壁
５３ａ    溝壁の頂面
８３    ねじりばね
８５    開口窓
Ｔ２    ガイド溝部の溝幅寸法
ｔ１    横長部の肉厚寸法
ｔ２    縦長部の肉厚寸法
Ｌ    横長部の長さ
【図１】
0003109835.tif 000003
【図２】
0003109835.tif 000004
【図３】
0003109835.tif 000005
【図４】
0003109835.tif 000006
【図５】
0003109835.tif 000007
【図６】
0003109835.tif 000008
【図７】
0003109835.tif 000009